(57)【要約】【課題】  定着装置の安全性、信頼性を高めること。【解決手段】  記録用紙（Ｓ）上のトナー像を定着する定着装置（Ｆ）のヒータ（ｈ）と、前記ヒータ（ｈ）に直列に接続されたヒータオンオフ制御スイッチ（７）及び通電遮断スイッチ（６）とを有するヒータ加熱回路（４）と、前記ヒータオンオフ制御スイッチ（７）のオン、オフを制御して、前記ヒータ（ｈ）の温度を制御するヒータオンオフ制御スイッチ制御手段（Ｃ４）と、前記画像形成装置（Ｕ）の周囲の明るさを判別するための明るさ判別信号を出力する明るさ判別信号出力手段（ＳＮ１）と、前記明るさ判別信号に基づいて、前記画像形成装置（Ｕ）の周囲が暗いと判別された場合に、前記通電遮断スイッチ（６）をオフにして前記ヒータ（ｈ）への通電を物理的に遮断する通電遮断スイッチ制御手段（１６）。【選択図】  図２
2006084833.tif 000002
【特許請求の範囲】
【請求項１】
下記の構成要件（Ａ01）〜（Ａ05）を備えたことを特徴とする画像形成装置、
（Ａ01）ヒータを有し、記録用紙上のトナー像を定着する定着装置、
（Ａ02）前記ヒータと、前記ヒータに直列に接続されたヒータオンオフ制御スイッチ及び通電遮断スイッチとを有するヒータ加熱回路、
（Ａ03）前記ヒータオンオフ制御スイッチのオン、オフを制御して、前記ヒータの温度を制御するヒータオンオフ制御スイッチ制御手段、
（Ａ04）前記画像形成装置の周囲の明るさを判別するための明るさ判別信号を出力する明るさ判別信号出力手段、
（Ａ05）前記明るさ判別信号に基づいて、前記画像形成装置の周囲が暗いと判別された場合に、前記通電遮断スイッチをオフにして前記ヒータへの通電を物理的に遮断する通電遮断スイッチ制御手段。
【請求項２】
下記の構成要件（Ａ06）を備えたことを特徴とする請求項１記載の画像形成装置、
（Ａ06）光センサにより構成された前記明るさ判別信号出力手段。
【請求項３】
下記の構成要件（Ａ07）を備えたことを特徴とする請求項１または２記載の画像形成装置、
（Ａ07）前記明るさ判別信号に基づいて、前記画像形成装置の周囲が明るいと判別された場合に、前記通電遮断スイッチをオンにして、前記ヒータへの通電を可能にする前記通電遮断スイッチ制御手段。
【請求項４】
下記の構成要件（Ａ08）を備えたことを特徴とする請求項３記載の画像形成装置、
（Ａ08）前記画像形成装置の周囲が暗いと判別する暗さ判別用閾値と、前記暗さ判別用閾値よりも高い値であり且つ前記画像形成装置の周囲が明るいと判別する明るさ判別用閾値とに基づいて、前記明るさ判別信号の値が前記暗さ判別用閾値よりも小さくなった場合に暗いと判別し且つ前記明るさ判別信号の値が前記明るさ判別用閾値よりも大きくなった場合に明るいと判別する前記通電遮断スイッチ制御手段。
【請求項５】
下記の構成要件（Ａ09），（Ａ010）を備えたことを特徴とする請求項１ないし４のいずれか記載の画像形成装置、
（Ａ09）前記ヒータオンオフ制御スイッチ制御手段を有するメインコントローラ、
（Ａ010）前記通電遮断スイッチ制御手段を有し、前記メインコントローラとは独立して作動可能な通電遮断用コントローラ。
【請求項６】
下記の構成要件（Ａ011）を備えたことを特徴とする請求項１ないし５のいずれか記載の画像形成装置、
（Ａ011）現在時刻を前記明るさ判別信号として出力する時計により構成された前記明るさ判別信号出力手段。
【請求項７】
下記の構成要件（Ａ012）を備えたことを特徴とする請求項６記載の画像形成装置、
（Ａ012）前記時計から出力される現在時刻が、前記画像形成装置の周囲が暗くなったものと推定される暗さ推定時刻以降になった場合に、前記画像形成装置の周囲が暗いと判別し、前記通電遮断スイッチをオフにして前記ヒータへの通電を遮断する前記通電遮断スイッチ制御手段。
【請求項８】
下記の構成要件（Ａ013）を備えたことを特徴とする請求項６または７記載の画像形成装置、
（Ａ013）前記時計から出力される現在時刻が、前記画像形成装置の周囲が明るくなったものと推定される明るさ推定時刻以降になった場合に、前記画像形成装置の周囲が明るいと判別し、前記通電遮断スイッチをオフにして前記ヒータへの通電を遮断する前記通電遮断スイッチ制御手段。
【発明の詳細な説明】
【技術分野】
【０００１】
本発明は、プリンタ、ＦＡＸ、複写機等の画像形成装置に関し、特に、ヒータを有し、記録用紙上のトナー像を加熱定着する定着装置を有する画像形成装置に関する。
【背景技術】
【０００２】
従来の電子写真方式の画像形成装置では、記録用紙上に転写されたトナー像を定着装置によって加熱定着する。前記定着装置は、記録用紙が通過する定着領域の温度を加熱定着に必要な定着温度にするためのヒータを有している。近年、省エネルギー化が社会的に要請されており、安全で省エネルギーの画像形成装置が要求されている。特に、画像形成装置の定着装置では、定着温度が高温に設定されているため、定着装置での消費電力が大きいという問題があると共に、高温の定着装置において発火事故が発生する恐れがあり安全性や信頼性も問題となる。
特に、画像形成装置としてのＦＡＸでは、画像形成装置の電源を切らずにデータを受信可能な状態に保持しておく必要があるため、メイン電源は常時オンの状態に保持されることが一般的であり、省エネルギー化は特に問題となる。
【０００３】
画像形成装置を省エネルギー化するための技術として、下記の技術（Ｊ01）が公知である。
（Ｊ01）特許文献１（特開平６−２８９６６９号公報）記載の技術
特許文献１には、画像形成装置の外部の明るさをフォトトランジスタ（７７）により検知して、外部が暗くなると、通常の使用状態からＳＬＥＥＰ状態（省エネモード）に移行させ、外部が明るくなると、ＳＬＥＥＰ状態から通常の使用状態に移行する技術が記載されている。前記特許文献１記載の技術により、外部が暗くなると、画像形成装置が設置されている部屋の照明がオフになり、ユーザが画像形成装置を使用しない可能性が高くなったと判断して、ＳＬＥＥＰ状態に移行させることができ、省エネルギー化することができる。
【０００４】
また、定着装置における発火等の事故を防止するための技術として、下記の技術（Ｊ02）が公知である。
（Ｊ02）特許文献２（特開平７−１９９７１８号公報）記載の技術
特許文献２には、画像形成が終了して駆動モータ（２５）がオフになった時に、定着装置のヒータ（４３）の温度を温度センサ（温度検出素子４１）で検出して、所定の温度以上である場合には、なんらかの原因でヒータ（４３）がオフになっていないと判断して、メイン電源（電源スイッチ５１）をオフにする技術が記載されている。
また、特許文献２には、画像形成動作の制御を行うメインコントローラ（５０）により、トライアック（ＴＲＡ１）及びリレー（ＲＬ１〜ＲＬ５）を制御する技術が記載されている。
【０００５】
【特許文献１】特開平６−２８９６６９号公報（「００１３」〜「００２６」、第２図〜第６図）
【特許文献２】特開平７−１９９７１８号公報（「００８１」〜「０１０２」、第８図、第１０図、第１１図）
【発明の開示】
【発明が解決しようとする課題】
【０００６】
（従来技術の問題点）
従来の画像形成装置では、特許文献２の図８に記載されているように、定着装置のヒータ（４３）は外部電源（ＡＣ）から直接電力の供給を受け、その他の部材は電源ユニット（特許文献１ではＮＯＲＭＡＬ電源６６）を介して電力を供給を受けるように構成されることが多い。
前記従来技術（Ｊ01）では、スリープ状態になった場合にヒータ以外の部材へ電力を供給する電源ユニット（ＮＯＲＭＡＬ電源）への通電がオフにされるが、直接外部電源に接続されたヒータには通電される。前記従来技術（Ｊ01）では、スリープ状態（省エネモード）に移行すると、コントローラ（プリンタ制御ＣＰＵ５４）に電源が供給されないので、スリープ状態移行前にコントローラの誤作動や暴走、あるいはスイッチの故障等が発生して、定着装置のヒータがオフになっていない場合、定着装置は外部電源からの電力が印加可能な状態に保持されてしまう。この状態では、ヒータが異常過熱し、発火や発煙等をする恐れがある。その上、発火等の事故が発生した場合でも、スリープ状態でコントローラが作動していないので、コントローラで電源を遮断できない。したがって、従来技術（Ｊ01）では、安全性、信頼性に問題がある。
【０００７】
また、前記従来技術（Ｊ01）において、ヒータの温度を感知して異常過熱時に回路を自動的に切断するサーモスタットを設けることも考えられる。しかし、サーモスタットが作動する前に、ヒータがオンの状態で、電気的なノイズや落雷等の非常事態が発生すると、画像形成装置が誤作動したり、センサ等の部材が破損するといった恐れがあり、やはり、安全性、信頼性に問題がある。
【０００８】
前記従来技術（Ｊ02）では、ヒータの温度が所定の温度以上にならないと、電源スイッチがオフにならず、画像形成装置の周囲にユーザがいなくても、ヒータがオフにならないので、省エネルギー化の点で問題となる。また、前記従来技術（Ｊ02）では、メインコントローラ（５０）により、ヒータのオンオフ制御を行っているので、メインコントローラ（５０）が誤作動や暴走等した場合に、ヒータが制御不能となり、発火や発煙等する恐れがある。さらに、前記従来技術（Ｊ02）では、高温を検知するとメイン電源（５１）がオフになるので、その後は制御回路も作動できなくなり、一切の制御ができなくなる。したがって、温度センサの誤検出やコントローラの誤作動等により誤ってメイン電源がオフになる可能性があり、一度オフになるとその後の処理が一切できなくなり、信頼性が問題となる。この結果、例えば、ＦＡＸ等の画像形成装置において、ユーザがいない間に誤検出が発生すると、ＦＡＸデータを受信できなくなり不便であるという問題がある。
【０００９】
本発明は、前述の事情に鑑み、次の記載内容（Ｏ01）を技術的課題とする。
（Ｏ01）定着装置の安全性、信頼性を高めること。
【課題を解決するための手段】
【００１０】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【００１１】
（第１発明）
前記技術的課題を解決するために、第１発明の画像形成装置は、下記の構成要件（Ａ01）〜（Ａ05）を備えたことを特徴とする。
（Ａ01）ヒータ（ｈ）を有し、記録用紙（Ｓ）上のトナー像を定着する定着装置（Ｆ）、
（Ａ02）前記ヒータ（ｈ）と、前記ヒータ（ｈ）に直列に接続されたヒータオンオフ制御スイッチ（７）及び通電遮断スイッチ（６）とを有するヒータ加熱回路（４）、
（Ａ03）前記ヒータオンオフ制御スイッチ（７）のオン、オフを制御して、前記ヒータ（ｈ）の温度を制御するヒータオンオフ制御スイッチ制御手段（Ｃ４）、
（Ａ04）前記画像形成装置（Ｕ）の周囲の明るさを判別するための明るさ判別信号（ＶA，Ｖ，Ｔnow）を出力する明るさ判別信号出力手段（ＳＮ１，ＴＭ）、
（Ａ05）前記明るさ判別信号（ＶA，Ｖ，Ｔnow）に基づいて、前記画像形成装置（Ｕ）の周囲が暗いと判別された場合に、前記通電遮断スイッチ（６）をオフにして前記ヒータ（ｈ）への通電を物理的に遮断する通電遮断スイッチ制御手段（１６，ＣＡ１，ＣＡ１１，ＣＡ２１，ＣＡ３１）。
【００１２】
（第１発明の作用）
前記構成要件（Ａ01）〜（Ａ05）を備えた第１発明の画像形成装置（Ｕ）では、ヒータ加熱回路（４）は、記録用紙（Ｓ）上のトナー像を定着する定着装置（Ｆ）のヒータ（ｈ）と、前記ヒータ（ｈ）に直列に接続されたヒータオンオフ制御スイッチ（７）及び通電遮断スイッチ（６）とを有する。ヒータオンオフ制御スイッチ制御手段（Ｃ４）は、前記ヒータオンオフ制御スイッチ（７）のオン、オフを制御して、前記ヒータ（ｈ）の温度を制御する。明るさ判別信号出力手段（ＳＮ１，ＴＭ）は、前記画像形成装置（Ｕ）の周囲の明るさを判別するための明るさ判別信号（ＶA，Ｖ，Ｔnow）を出力する。通電遮断スイッチ制御手段（１６，ＣＡ１，ＣＡ１１，ＣＡ２１，ＣＡ３１）は、前記明るさ判別信号（ＶA，Ｖ，Ｔnow）に基づいて、前記画像形成装置（Ｕ）の周囲が暗いと判別された場合に、前記通電遮断スイッチ（６）をオフにして前記ヒータ（ｈ）への通電を物理的に遮断する。
【００１３】
（第１発明の形態１）
第１発明の形態１の画像形成装置（Ｕ）は、前記第１発明において、下記の構成要件（Ａ06）を備えたことを特徴とする。
（Ａ06）光センサ（ＳＮ１）により構成された前記明るさ判別信号出力手段（ＳＮ１）。
（第１発明の形態１の作用）
前記構成要件（Ａ06）を備えた第１発明の形態１の画像形成装置（Ｕ）では、前記明るさ判別信号出力手段（ＳＮ１）は、光センサ（ＳＮ１）により構成されている。
【００１４】
（第１発明の形態２）
第１発明の形態２の画像形成装置（Ｕ）は、前記第１発明または第１発明の形態１において、下記の構成要件（Ａ07）を備えたことを特徴とする。
（Ａ07）前記明るさ判別信号（ＶA，Ｖ，Ｔnow）に基づいて、前記画像形成装置（Ｕ）の周囲が明るいと判別された場合に、前記通電遮断スイッチ（６）をオンにして、前記ヒータ（ｈ）への通電を可能にする前記通電遮断スイッチ制御手段（１６，ＣＡ１，ＣＡ１１，ＣＡ２１，ＣＡ３１）。
（第１発明の形態２の作用）
前記構成要件（Ａ07）を備えた第１発明の形態２の画像形成装置（Ｕ）では、前記通電遮断スイッチ制御手段（１６，ＣＡ１，ＣＡ１１，ＣＡ２１，ＣＡ３１）は、前記明るさ判別信号（ＶA，Ｖ，Ｔnow）に基づいて、前記画像形成装置（Ｕ）の周囲が明るいと判別された場合に、前記通電遮断スイッチ（６）をオンにして、前記ヒータ（ｈ）への通電を可能にする。
【００１５】
（第１発明の形態３）
第１発明の形態３の画像形成装置（Ｕ）は、前記第１発明の形態２において、下記の構成要件（Ａ08）を備えたことを特徴とする。
（Ａ08）前記画像形成装置（Ｕ）の周囲が暗いと判別する暗さ判別用閾値（ＶTL）と、前記暗さ判別用閾値（ＶTL）よりも高い値であり且つ前記画像形成装置（Ｕ）の周囲が明るいと判別する明るさ判別用閾値（ＶTH）とに基づいて、前記明るさ判別信号（ＶA，Ｖ）の値が前記暗さ判別用閾値（ＶTL）よりも小さくなった場合に暗いと判別し且つ前記明るさ判別信号（ＶA，Ｖ）の値が前記明るさ判別用閾値（ＶTH）よりも大きくなった場合に明るいと判別する前記通電遮断スイッチ制御手段（１６，ＣＡ１）。
【００１６】
（第１発明の形態３の作用）
前記構成要件（Ａ08）を備えた第１発明の形態３の画像形成装置（Ｕ）では、前記通電遮断スイッチ制御手段（１６，ＣＡ１）は、前記画像形成装置（Ｕ）の周囲が暗いと判別する暗さ判別用閾値（ＶTL）と、前記暗さ判別用閾値（ＶTL）よりも高い値であり且つ前記画像形成装置（Ｕ）の周囲が明るいと判別する明るさ判別用閾値（ＶTH）とに基づいて、前記明るさ判別信号（ＶA，Ｖ）の値が前記暗さ判別用閾値（ＶTL）よりも小さくなった場合に暗いと判別し且つ前記明るさ判別信号（ＶA，Ｖ）の値が前記明るさ判別用閾値（ＶTH）よりも大きくなった場合に明るいと判別する。
【００１７】
（第１発明の形態４）
第１発明の形態４の画像形成装置（Ｕ）は、前記第１発明及び第１発明の形態１〜３のいずれかにおいて、下記の構成要件（Ａ09），（Ａ010）を備えたことを特徴とする。
（Ａ09）前記ヒータオンオフ制御スイッチ制御手段（Ｃ４）を有するメインコントローラ（Ｃ）、
（Ａ010）前記通電遮断スイッチ制御手段（ＣＡ１，ＣＡ１１，ＣＡ２１，ＣＡ３１）を有し、前記メインコントローラ（Ｃ）とは独立して作動可能な通電遮断用コントローラ（ＣＡ）。
【００１８】
（第１発明の形態４の作用）
前記構成要件（Ａ09），（Ａ010）を備えた第１発明の形態４の画像形成装置（Ｕ）では、前記通電遮断スイッチ制御手段（ＣＡ１，ＣＡ１１，ＣＡ２１，ＣＡ３１）を有する通電遮断用コントローラ（ＣＡ）は、ヒータオンオフ制御スイッチ制御手段（Ｃ４）を有するメインコントローラ（Ｃ）とは独立して作動できる。
【００１９】
（第１発明の形態５）
第１発明の形態５の画像形成装置（Ｕ）は、前記第１発明及び第１発明の形態１〜４のいずれかにおいて、下記の構成要件（Ａ011）を備えたことを特徴とする。
（Ａ011）現在時刻（Ｔnow）を前記明るさ判別信号（Ｔnow）として出力する時計（ＴＭ）により構成された前記明るさ判別信号出力手段（ＴＭ）。
（第１発明の形態５の作用）
前記構成要件（Ａ011）を備えた第１発明の形態５の画像形成装置（Ｕ）では、前記明るさ判別信号出力手段（ＴＭ）は、現在時刻（Ｔnow）を前記明るさ判別信号（Ｔnow）として出力する時計（ＴＭ）により構成されている。
【００２０】
（第１発明の形態６）
第１発明の形態６の画像形成装置（Ｕ）は、前記第１発明の形態５において、下記の構成要件（Ａ012）を備えたことを特徴とする。
（Ａ012）前記時計（ＴＭ）から出力される現在時刻（Ｔnow）が、前記画像形成装置（Ｕ）の周囲が暗くなったものと推定される暗さ推定時刻（Ｔoff）以降になった場合に、前記画像形成装置（Ｕ）の周囲が暗いと判別し、前記通電遮断スイッチ（６）をオフにして前記ヒータ（ｈ）への通電を遮断する前記通電遮断スイッチ制御手段（ＣＡ１１，ＣＡ２１）。
（第１発明の形態６の作用）
前記構成要件（Ａ012）を備えた第１発明の形態６の画像形成装置（Ｕ）では、通電遮断スイッチ制御手段（ＣＡ１１，ＣＡ２１）は、時計（ＴＭ）から出力される現在時刻（Ｔnow）が、前記画像形成装置（Ｕ）の周囲が暗くなったものと推定される暗さ推定時刻（Ｔoff）以降になった場合に、前記画像形成装置（Ｕ）の周囲が暗いと判別し、前記通電遮断スイッチ（６）をオフにして前記ヒータ（ｈ）への通電を遮断する。
【００２１】
（第１発明の形態７）
第１発明の形態７の画像形成装置（Ｕ）は、前記第１発明の形態５，６のいずれかにおいて、下記の構成要件（Ａ013）を備えたことを特徴とする。
（Ａ013）前記時計（ＴＭ）から出力される現在時刻（Ｔnow）が、前記画像形成装置（Ｕ）の周囲が明るくなったものと推定される明るさ推定時刻（Ｔon）以降になった場合に、前記画像形成装置（Ｕ）の周囲が明るいと判別し、前記通電遮断スイッチ（６）をオフにして前記ヒータ（ｈ）への通電を遮断する前記通電遮断スイッチ制御手段（ＣＡ１１，ＣＡ３１）。
【００２２】
（第１発明の形態７の作用）
前記構成要件（Ａ013）を備えた第１発明の形態７の画像形成装置（Ｕ）では、前記通電遮断スイッチ制御手段（ＣＡ１１，ＣＡ３１）は、前記時計（ＴＭ）から出力される現在時刻（Ｔnow）が、前記画像形成装置（Ｕ）の周囲が明るくなったものと推定される明るさ推定時刻（Ｔon）以降になった場合に、前記画像形成装置（Ｕ）の周囲が明るいと判別し、前記通電遮断スイッチ（６）をオフにして前記ヒータ（ｈ）への通電を遮断する。
【発明の効果】
【００２３】
前述の本発明は、下記の効果（Ｅ01）〜（Ｅ06）を奏する。
（Ｅ01）画像形成装置の周囲が暗いと判別された場合に、前記通電遮断スイッチをオフにするので、ユーザ不在時にヒータが異常過熱する事故等を低減でき、定着装置の安全性、信頼性を高めることができる。
（Ｅ02）光センサを使用することにより、画像形成装置の周囲の明るさを精度よく判別できる。
（Ｅ03）画像形成装置の周囲が明るいと判別された場合に、前記通電遮断スイッチをオンにする場合、ユーザが居る可能性が高くなると、自動的にヒータへの通電を可能な状態にすることができる。
【００２４】
（Ｅ04）暗さ判別用閾値と明るさ判別用閾値を使用した場合、１つの閾値を使用する場合と比較して、閾値前後で通電遮断スイッチのオンオフが頻繁に繰り返される（ばたつく）ことを防止できる。
（Ｅ05）通電遮断用コントローラがメインコントローラから独立して作動可能な場合、メインコントローラが誤作動、暴走、故障等しても、通電遮断用コントローラによりヒータへの通電を確実に遮断でき、安全性を高めることができる。
（Ｅ06）判別信号出力手段として時計を使用した場合、季節や天候に左右されず、通電遮断スイッチをオフにすることができる。
【発明を実施するための最良の形態】
【００２５】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２６】
図１は実施例１の画像形成装置の縦断面図である。
図１において、実施例１の画像形成装置としてのプリンタＵは、プリンタ本体Ｕ１を有しており、プリンタ本体Ｕ１の上面には第１排紙トレイ（フェイスダウントレイ）ＴＲｈが設けられている。図１において、ホストコンピュータＨＣから送信された画像データやプリンタ制御コマンド等の電気信号は、プリンタＵのメインコントローラＣに入力される。メインコントローラＣはマイクロコンピュータおよび記憶装置等により構成されている。メインコントローラＣは、入力される画像データを一時的に記憶し、前記画像データを所定のタイミングで潜像形成用の画像データとしてレーザ駆動回路ＤＬに出力する。
【００２７】
レーザ駆動回路ＤＬは、入力された画像データに応じてレーザ駆動信号をＲＯＳ（潜像形成装置）に出力する。なお、ＵＩ（ユーザインタフェース）、レーザ駆動回路ＤＬと、後述の現像ロールＧａ、転写装置としての転写ロールＲｔにバイアス電圧を印加する電源回路Ｅ等の動作はメインコントローラＣにより制御される。
【００２８】
図１において、前記ＲＯＳの左方には、黒色のトナー像を形成するトナー像形成装置Ｕ２が配置されている。潜像形成装置（潜像形成光学系）ＲＯＳの前記図示しないレーザダイオードから出射したレーザビームＬは、回転する感光体ＰＲに入射する。
図１において、回転軸を中心に矢印方向に回転する感光体（像担持体）ＰＲと、帯電ロール（帯電部材）ＣＲと、現像装置Ｇと、クリーナＣＬとを有している。また、前記トナー像形成装置Ｕ２はユニット化されており、プロセスユニットとして画像形成装置本体Ｕ１に着脱可能に構成されている。前記プロセスユニットＵ２の着脱は、画像形成装置本体Ｕ１の前面に開閉可能に支持されたフロントカバー（図示せず）を開放した状態で行う。
【００２９】
前記像担持体ＰＲの表面は、帯電ロールＣＲにより一様に帯電された後、潜像書込位置において前記ＲＯＳ（潜像形成装置）のレーザビームＬにより露光走査されて静電潜像が形成される。
前記静電潜像が形成された像担持体ＰＲ表面は回転移動して現像装置Ｇと対向する現像領域、転写ロールＲｔに対向する転写領域（用紙転写領域）Ｑ３を順次通過する。
現像装置Ｇは、現像バイアスが印加される現像ロールＧａ、トナーを現像ロールに撹拌しながら搬送するトナー撹拌部材Ｇｂ，Ｇｃを回転可能に支持し且つトナーを収容する現像容器Ｖを有している。そして、現像領域を通過する像担持体ＰＲ上の静電潜像を現像ロールＧａによりトナー像に現像する。
【００３０】
前記現像容器Ｖの前端部には、プリンタＵに固定支持されたトナー補給装置ＴＨの補給路の一端が接続されており、前記カートリッジトナー補給装置ＴＨの補給路の他端はトナーカートリッジＴＣのトナー排出口ＴＣ３に接続されている。
図１において、トナーカートリッジＴＣは、内部にトナーを収容するトナー容器ＴＣ１を有し、前記トナー容器ＴＣ１内にはトナー搬送部材ＴＣ２が回転可能に支持されている。したがって、現像装置Ｇでのトナーの消費に応じて、前記トナー搬送部材ＴＣ２が回転駆動してトナー容器ＴＣ１内のトナーを、前側（＋Ｘ側）のトナー排出口ＴＣ３に搬送する。トナー排出口ＴＣ３から排出されたトナーは、トナー補給装置ＴＨのトナー補給路内の図示しないトナー搬送部材（オーガ等）により現像装置Ｇの現像容器Ｖに搬送される。
【００３１】
前記トナーカートリッジＴＣは、プリンタＵに対して前後方向に挿抜することにより着脱可能に構成されている。前記トナーカートリッジＴＣの着脱は、画像形成装置本体Ｕ１の前面に開閉可能に支持されたフロントカバーを開放した状態で行う。
前記感光体ＰＲ、帯電ロールＣＲ、ＲＯＳ（静電潜像形成装置）、現像装置Ｇ等により、感光体ＰＲ上にトナー像（画像）を形成するトナー像形成装置Ｕ２が形成されている。
【００３２】
図１において、プリンタＵの下部には、複数の給紙トレイＴＲ１〜ＴＲ４が配置されている。複数の給紙トレイＴＲ１〜ＴＲ４は、前記転写領域Ｑ３に搬送するための画像記録用の記録用紙Ｓを収容しており、前記各給紙トレイＴＲ１〜ＴＲ４はプリンタＵの前面に形成された給紙トレイ挿入口からプリンタＵ内部のトレイ収容空間に出入可能である。
図１において、プリンタＵの下部内部（トレイ収容空間）には、給紙トレイ挿入口から出入（挿入および抜出）される給紙トレイＴＲ１〜ＴＲ４の左右両端部を移動可能に支持するレール（トレイ支持部材）ＲＬ１，ＲＬ１が配置されており、左右一対のレールＲＬ１，ＲＬ１により各給紙トレイＴＲ１〜ＴＲ４は前後方向に移動可能に支持されている。
【００３３】
図１において、前記各給紙トレイＴＲ１〜ＴＲ４の給紙側上部には、ピックアップロールＲｐと、フィードロールおよびリタードロールを有するさばきロールＲｓとを有する給紙装置Ｋが設けられている。
給紙装置ＫのピックアップロールＲｐにより取出された記録用の用紙Ｓは、さばきロールＲｓにより１枚ずつ分離されて、用紙搬送装置ＳＨの本体用紙搬送路（第１標準用紙搬送路）ＳＨ１に給紙される。給紙された用紙Ｓは複数の用紙搬送ロールＲａにより搬送され、レジロールＲｒ（図１参照）により所定のタイミングで、前記転写領域Ｑ３に搬送される。
【００３４】
また、プリンタ（画像記録装置）Ｕの左側部には、手差トレイＴＲ０が支持されている。前記手差トレイＴＲ０から給紙された用紙Ｓは、手差トレイ内用紙搬送路ＳＨ５から、手差トレイ用用紙搬送路ＳＨ２を通過して、前記本体用紙搬送路（第１標準用紙搬送路）ＳＨ１に搬送され、前記本体用紙搬送路ＳＨ１に沿って配置された用紙搬送ロールＲａ、レジロールＲｒにより前記転写領域Ｑ３に搬送される。
【００３５】
図１において、前記転写領域Ｑ３には転写バイアスが印加される転写ロールＲｔが配置されている。この転写ロールＲｔは転写領域Ｑ３において前記感光体ＰＲに圧接しており、転写領域Ｑ３を通過する用紙Ｓに感光体ＰＲ上のトナー像を転写する。なお、感光体ＰＲ上に形成されたトナー像（画像）を用紙上に転写（記録）する転写装置は、実施例１のように転写ロールＲｔのみにより構成する代わりに、コロトロンのような放電式の転写部材により構成することが可能である。また、転写装置は、中間転写体と、感光体上のトナー像を前記中間転写体に１次転写する１次転写部材と、中間転写体上のトナー像を用紙に２次転写する２次転写部材とにより構成することが可能である。
【００３６】
前記感光体ＰＲ、帯電ロールＣＲ、ＲＯＳ（潜像形成装置）、現像装置Ｇにより構成されるトナー像形成装置Ｕ２と、転写装置としての転写ロールＲｔとにより、用紙Ｓに画像（トナー像）を記録する画像記録部材（Ｕ２＋Ｒｔ）が構成されている。
感光体ＰＲ表面のトナー像が転写領域Ｑ３において用紙Ｓに転写された後、前記感光体ＰＲは、クリーナＣＬにより表面に付着した残留トナーが回収される。前記クリーナＣＬにより表面に付着した残留トナーが回収された感光体ＰＲは、前記帯電ロールＣＲにより再び帯電される。
【００３７】
前記転写領域Ｑ３において未定着のトナー像が転写された記録用紙Ｓは、トナー像が未定着の状態で転写領域Ｑ３の上方に配置された定着装置Ｆに搬送される。前記定着装置Ｆは、ヒータｈを内蔵する加熱ロール（加熱部材）Ｆｈと、前記加熱ロールＦｈに圧接する加圧ロール（加圧部材）Ｆｐとからなる一対の定着ロール（定着部材）Ｆｈ，Ｆｐを有しており、前記加熱ロールＦｈと加圧ロールＦｐとの圧接領域により定着領域Ｑ４が形成されている。前記加熱ロールＦｈの近傍には、表面の温度（定着温度）を検出する定着温度センサＳＮｈが配置されている。記録用紙Ｓ上の未定着トナー像は、定着領域Ｑ４を通過する際に定着部材Ｆｈ，Ｆｐにより加熱定着される。
定着トナー像が形成された用紙Ｓは、その後、用紙ガイドにガイドされて排紙ロールＲ１に搬送される。用紙Ｓは、前記排紙ロールＲ１により用紙排出口Ｈａから排紙トレイ（第１排紙トレイ）ＴＲｈに排出される。
【００３８】
プリンタＵ内部には前記用紙排出口Ｈａに接続された本体用紙反転路ＳＨ３が設けられている。前記手差しトレイＴＲ０の上部には、オプションの用紙反転装置Ｕ３が装着されている。前記用紙反転装置Ｕ３の内部には、前記本体用紙反転路ＳＨ３に接続するオプション用紙反転路ＳＨ４が形成されている。したがって、両面印刷時には、前記定着領域Ｑ４でトナー像が定着された用紙Ｓが、前記本体用紙反転路ＳＨ３、オプション用紙反転路ＳＨ４を通過して、前記レジロールＲｒに搬送され、用紙Ｓの表裏が反転した状態で前記転写領域Ｑ３に再送される。
前記本体用紙反転路ＳＨ３、オプション用紙反転路ＳＨ４により、用紙反転路（ＳＨ３＋ＳＨ４）が構成されている。
前記給紙装置Ｋ、用紙搬送ロールＲａ、レジロールＲｒ、排紙ロールＲ１、用紙搬送路ＳＨ１〜ＳＨ５等により用紙搬送装置ＳＨが構成されている。
【００３９】
（実施例１の制御回路及び機能の説明）
図２は実施例１の画像形成装置の制御回路及び機能の説明図（機能ブロック図）であり、図２Ａは全体説明図、図２Ｂはメインコントローラの機能の説明図である。
（回路部分の説明）
図２Ａにおいて、プリンタＵの制御回路ＣＣは、外部の交流電源（外部電源）に接続されるコンセント１と、ユーザが手動でオン・オフ可能なメインスイッチ２を有する。前記コンセント１を介して外部電源から供給される電力は、ＬＶＰＳ（Low  Voltage  Power  Supply、低圧電源ユニット）及びヒータ加熱回路４に供給される。前記ヒータ加熱回路４は、通電遮断スイッチとしてのリレー６のスイッチ部６ａと、ヒータオンオフ制御スイッチとしてのトライアック７と、定着装置Ｆのヒータｈと、前記ヒータｈに対向して配置されヒータｈが異常過熱した場合に安全のためにヒータ加熱回路４を切断するサーモスタット８とを有しており、各要素６ａ、７、ｈ、８が直列に接続されている。
【００４０】
前記ＬＶＰＳは、交流電圧を低電圧に変換して、画像形成装置Ｕの各駆動部材（Ｍ０，ＨＶＰＳ等）を制御するメインコントローラＣや、ホストコンピュータＨＣとのデータの送受信を行う入出力インターフェースＩ／Ｆ、ジャムが発生したか否かを判別してリレー６のオンオフ制御を行う通電遮断用コントローラＣＡへ制御用電圧（実施例１では５Ｖまたは３．３Ｖ、もしくはその両方）を供給する。また、前記ＬＶＰＳは、メインモータユニットＭ０や、ＨＶＰＳ（High  Voltage  Power  Supply、高圧電源ユニット）、リレー制御回路（通電遮断スイッチ制御回路）１１等に駆動用電圧（実施例１では２４Ｖ）も供給する。
【００４１】
図３は、実施例１の通電遮断スイッチ制御手段の要部拡大説明図である。
図２，図３において、リレー制御回路１１は、前記リレー６のコイル部６ｂと、リレー６を駆動するＦＥＴ（Field  Effect  Transistor、電界効果トランジスタ）１２とを有している。前記コイル部６ｂの一方の端子は、前記ＬＶＰＳに接続されて駆動用電圧が印加され、他方の端子はリレー６駆動用のＦＥＴ（通電遮断スイッチ駆動部材）１２のドレイン（Ｄ）に接続されている。なお、実施例１のリレー６はコイル部６ｂに通電されていない状態（非通電時）ではオフ（ノーマルオフ）となるリレーにより構成されている。実施例１のＦＥＴ１２は、エンハンスメント形ＭＯＳ（Metal  Oxide  Silicon）ＦＥＴにより構成されており、ソース（Ｓ）は接地（アース）され、ゲート（Ｇ）が通電遮断スイッチ制御手段１６に接続されている。
【００４２】
図３において、前記通電遮断スイッチ制御手段１６は、プルアップ抵抗Ｒ１と、ヒステリシスコンパレータ１７とを有している。前記プルアップ抵抗Ｒ１の一端は、ＬＶＰＳに接続されて制御用電圧が印加され、他方は、前記ＦＥＴ１２のゲートに接続されている。前記ヒステリシスコンパレータ１７は、コンパレータ１８と、抵抗Ｒ２，Ｒ３とを有している。前記コンパレータ１８の出力側は前記ＦＥＴ１２のゲートに接続されており、（−）の入力側には基準電圧Ｖrefが印加されている。前記抵抗Ｒ２は、コンパレータ１８の出力側と（＋）の入力側との間に接続されており、抵抗Ｒ３の一端はコンパレータ１８の（＋）の入力側に接続されている。
【００４３】
図３において、前記抵抗Ｒ３の他端には、明るさ検出信号出力部材（明るさ検出信号出力手段）としての光センサＳＮ１に接続されている。前記光センサＳＮ１はフォトトランジスタにより構成されており、エミッタ（Ｅ）が前記抵抗Ｒ３の他端に接続され、コレクタ（Ｃ）がＬＶＰＳに接続されて制御用電圧が印加される。なお、前記光センサＳＮ１のエミッタ側（出力側）には、抵抗Ｒ４と、コンデンサＣＮ１とを有する平滑化回路１９が接続されており、光センサＳＮ１のエミッタ側の電圧の微小変動を抑え、ノイズを低減する。
【００４４】
したがって、前記光センサＳＮ１による外光の受光量、すなわち、プリンタＵの周囲の明るさに応じて、通電遮断スイッチ制御手段１６の入力側の点Ａの電圧ＶAが変動する。前記点Ａの電圧ＶAと、基準電圧Ｖrefとの関係に応じて、ヒステリシスコンパレータ１７の出力電圧（ＶHiまたはＶLo）、すなわち、点Ｂにおける電圧ＶBが変動する。実施例１の通電遮断スイッチ制御手段１６はヒステリシスコンパレータ１７により構成されているので、出力電圧がＶHi（Ｈ（ハイレベル、オン）の信号）からＶLo（Ｌ（ローレベル、オフ）の信号）に遷移する閾値（暗さ判別用閾値）ＶTLと、出力がＶLoからＶHiに遷移する閾値（明るさ判別用閾値）ＶTHとが異なる。なお、前記各閾値ＶTH及びＶTLは、Ｒ２，Ｒ３，Ｖref等を調節することにより、任意の値に変更可能である。
【００４５】
前記ＦＥＴ１２は、前記通電遮断スイッチ制御手段１６によってゲートの電圧がＶLoになると（Ｌの信号が出力されると）、ソースとドレインの間に電流が流れない。このため、コイル部６ｂが非通電状態となってリレー６がオフになり、ヒータ加熱回路４が遮断され、ヒータｈに電力が供給されない。一方、前記通電遮断スイッチ制御手段１６によってゲートの電圧がＶHiになると（Ｈの信号が出力されると）、ソースとドレインの間に電流が流れる。このため、コイル部６ｂが通電状態となってリレー６がオンになり、トライアック７の制御によりヒータｈをオン、オフ制御可能な状態となる。
【００４６】
（コントローラの説明）
前記メインコントローラＣは、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するマイクロコンピュータにより構成されており、前記ＲＯＭに記憶されたプログラムを実行することにより種々の機能を実現することができる。
【００４７】
（メインコントローラＣに接続された信号出力要素）
メインコントローラＣには、入出力インタフェースＩ／Ｆ、温度センサＳＮｈ、ユーザインタフェースＵＩ等の信号出力要素から出力された信号が入力される
前記入出力インターフェースＩ／Ｆは、ホストコンピュータＨＣから送信された画像データやプリンタ制御コマンド等の電気信号を受信し、メインコントローラＣに送信する。
前記温度センサＳＮｈは、定着装置Ｆの加熱ロールＦｈの温度を検出する。
【００４８】
（メインコントローラＣに接続された被制御要素）
前記メインコントローラＣは、次の被制御要素へ制御信号を出力する。
前記メインモータユニットＭ０は、前記メインコントローラＣから出力された制御信号に応じて、前記感光体ＰＲや現像器Ｇの現像ロールＧａ、転写ロールＲｔ、定着ロールＦｈ，Ｆｐ等を回転駆動する。
前記ＨＶＰＳは、前記メインコントローラＣから出力された制御信号に応じて、前記帯電ロールＣＲの帯電バイアスや、現像ロールＧａの現像バイアス、転写ロールＲｔの転写バイアス等を制御する。
前記ＬＶＰＳは、前記メインコントローラＣから出力された制御信号に応じて、前記メインモータユニットＭ０等への電力供給を制御する。
前記トライアック７は、ゲートに接続されたフォトトライアック９を介してメインコントローラＣに接続されており、前記メインコントローラＣから出力された制御信号に応じて、ヒータｈをオン、オフ制御する。
【００４９】
（メインコントローラＣの機能）
図２Ｂにおいて、前記メインコントローラＣは、前記各信号出力要素からの出力信号に応じた処理を実行して、前記各制御要素に制御信号を出力する機能を実現するプログラム（機能実現手段）を有している。前記メインコントローラＣの各種機能を実現するプログラム（機能実現手段）を次に説明する。
Ｃ１：メインモータ回転制御手段
メインモータ回転制御手段Ｃ１は、前記メインモータユニットＭ０を制御して、前記感光体ＰＲや現像器Ｇの現像ロールＧａ、転写ロールＲｔ、定着ロールＦｈ，Ｆｐ等の回転を制御する。
Ｃ２：高圧電源制御手段
高圧電源制御手段Ｃ２は、前記ＨＶＰＳを制御して、前記現像バイアス、帯電バイアス、転写バイアス、等を制御する。
【００５０】
Ｃ３：ジョブ制御手段
ジョブ制御手段Ｃ３は、ホストコンピュータＨＣから送信された画像データに応じて、前記ＲＯＳ、像担持体ＰＲ、転写ロールＲｔ、定着装置Ｆ等の動作を制御して、画像記録動作であるジョブ（印刷動作、コピー動作）を実行する。
Ｃ４：ヒータオンオフ制御スイッチ制御手段
ヒータオンオフ制御スイッチ制御手段Ｃ４は、前記トライアック７のオン、オフを制御して、前記ヒータｈの温度を制御する。
Ｃ５：省エネモード移行手段
省エネモード移行手段Ｃ５は、ジョブ終了後、所定の時間（スタンバイ継続時間）が経過すると、画像形成装置Ｕを省エネモードに移行させる。実施例１の省エネモード移行手段Ｃ５は、省エネモード移行時に、メインモータユニットＭ０やＨＶＰＳ等へのＬＶＰＳからの電力供給（通電）をオフにし、ホストコンピュータＨＣから送信された画像データ等を受信すると省エネモードを終了する。
【００５１】
（実施例１の作用）
図４は、画像形成装置Ｕの外部の明るさと、点Ａでの電圧の履歴と、点Ｂでの電圧の履歴と、を示すタイムチャートである。
図４において、前記構成を備えた実施例１の画像形成装置Ｕでは、外部が明るさに応じて、点Ａの電圧、すなわち、光センサＳＮ１のエミッタ側の電圧ＶAが変動する。図４において、夜になりユーザが帰宅時等に照明を落とすと、外部の明るさが暗くなる。これに応じて、光センサＳＮ１の出力信号である電圧ＶAが、暗さ判別用閾値ＶTL以下になると、ヒステリシスコンパレータ１７の出力電圧、すなわちＦＥＴ１２のゲートの電圧ＶBがＶLoとなり、リレー６がオフになる。夜が明け始めると、外部が徐々に明るくなるが、光センサＳＮ１の出力信号の電圧ＶAが、明るさ判別用閾値ＶTH以上になるまで、リレー６はオフの状態で保持される。すなわち、ユーザが出勤する前の早朝には、リレー６がオフの状態で保持される。ユーザが出勤等して照明がオンになり、電圧ＶAが明るさ判別用閾値ＶTH以上になると、ヒステリシスコンパレータ１７の出力電圧、すなわちＦＥＴ１２のゲートの電圧ＶBがＶHiとなり、リレー６がオンになる。
【００５２】
したがって、実施例１の画像形成装置Ｕでは、外光を受光する光センサＳＮ１の受光量に応じて、通電遮断スイッチ制御手段１６の出力が変動し、リレー６がオン、オフ制御される。したがって、ユーザが居ない可能性が高い暗い状態では、自動的にリレー６がオフになる。一方、照明等の光を光センサＳＮ１が受光している明るい状態では、ユーザが居る可能性が高いので、リレー６がオンになる。この結果、ユーザが居ない可能性が高い場合（暗い場合）に、自動的にリレー６がオフになり、ヒータｈへの通電が遮断されるので、ユーザ不在時にヒータｈが異常過熱して破損等することを低減できる。したがって、画像形成装置Ｕの安全性、信頼性が高くなる。また、外光を利用しているので、周囲が明るく、ユーザがプリンタＵを使用する可能性が高くなると、自動的にリレー６がオンになる。したがって、リレー６をオンにするために、ユーザが面倒な作業をする必要がない。
【００５３】
また、実施例１の画像形成装置Ｕでは、ヒステリシスコンパレータ１７を使用しているので、暗さ判別用閾値ＶTLと明るさ判別用閾値ＶTHとが異なる。仮に、閾値が同一である場合、天気の変化や照明のちらつき等により、閾値近傍でリレー６のオン、オフが頻繁に入れ替わる（ばたつく）ことがある。また、図４において、暗さ判別用閾値ＶTLのみにすると、ユーザが出勤する前の早朝に、リレー６がオンになる可能性がある。実施例１の画像形成装置Ｕでは、暗さ判別用閾値ＶTLと明るさ判別用閾値ＶTHとが異なるので、ばたつきが少なく、リレー６が頻繁にオン、オフすることを抑えることができ、ユーザが居ない可能性の高い早朝にリレー６がオンになることを低減できる。
【００５４】
さらに、実施例１の画像形成装置Ｕでは、通電遮断スイッチとしてリレー６を使用しているので、リレー６がオフになると、ヒータ制御回路４が物理的に遮断される。したがって、電気的なノイズや落雷等により異常な電力が供給されても、物理的に遮断されているので、トライアック７やメインコントローラＣ等が破損や誤動作、暴走等して、ヒータｈが異常過熱することを防止することでき、安全性、信頼性を高めることができる。
また、実施例１の画像形成装置Ｕでは、通電遮断スイッチ制御手段１６がメインコントローラＣから独立して作動するので、メインコントローラＣが暴走や誤動作しても、光センサＳＮ１の検出信号（電圧ＶA）に応じて、リレー６をオン、オフすることができる。したがって、暗い状態でメインコントローラＣが暴走した場合（例えば、夜間のＦＡＸ受信中に暴走した場合等）でも、通電遮断スイッチ制御手段１６によりリレー６が自動的にオフになるので、ヒータｈが加熱することを防止でき、安全性が高まる。
【００５５】
さらに、実施例１の画像形成装置Ｕでは、比較的シンプルな電気回路により、通電遮断スイッチ制御手段１６が構成されているので、画像形成装置Ｕのコスト上昇を抑えることができ、小型化にも対応できる。
【実施例２】
【００５６】
次に、本発明の実施例２を説明するが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００５７】
図５は実施例１の図２に対応する実施例２の画像形成装置の制御回路及び機能の説明図（機能ブロック図）であり、図５Ａは全体説明図、図５Ｂはメインコントローラの機能の説明図、図５Ｃは通電遮断用コントローラの機能の説明図である。
なお、実施例２のメインコントローラＣは、実施例１のメインコントローラＣと同様に構成されているので、詳細な説明は省略する。
図５において、実施例２のプリンタ（画像形成装置Ｕ）では、電気回路（ハードウェア）で構成された実施例１の通電遮断スイッチ制御手段１６に替えて、マイクロコンピュータにより構成された通電遮断用コントローラＣＡを有する。
前記通電遮断用コントローラＣＡは、メインコントローラＣとは独立して作動可能に構成され、ＬＶＰＳから制御用電圧が供給される。
【００５８】
（コントローラの説明）
前記通電遮断用コントローラＣＡは、メインコントローラＣと同様に、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するマイクロコンピュータにより構成されており、前記ＲＯＭに記憶されたプログラムを実行することにより種々の機能を実現することができる。
【００５９】
（通電制御用コントローラＣＡに接続された信号出力要素）
前記通電遮断用コントローラＣＡには、光センサＳＮ１の出力信号（明るさ判別信号）が入力される。
前記光センサＳＮ１は、外光を受光することにより、外部の明るさを検出する。
（通電制御用コントローラＣＡに接続された被制御要素）
通電制御用コントローラＣＡは、次の被制御要素へ制御信号を出力する。
前記ＦＥＴ１２は、通電制御用コントローラＣＡからの制御信号（ＨまたはＬ）に応じて、リレー６をオン、オフ制御する。すなわち、ＦＥＴ１２は、通電制御用コントローラＣＡからＬ（ローレベル、オフ）の制御信号が入力されると、ドレインとソースとの間に電流が流れず、リレー６がオフになる。一方、ＦＥＴ１２は、通電制御用コントローラＣＡからＨ（ハイレベル、オン）の制御信号が入力されると、ドレインとソースとの間に電流が流れて、リレー６がオンになる。
【００６０】
（通電遮断コントローラＣＡの機能）
図５Ｃにおいて、前記通電遮断コントローラＣＡは、前記各信号出力要素からの出力信号に応じた処理を実行して、前記各制御要素に制御信号を出力する機能を実現するプログラム（機能実現手段）を有している。前記通電遮断コントローラＣＡの各種機能を実現するプログラム（機能実現手段）を次に説明する。
ＣＡ１：リレー制御手段（通電遮断スイッチ制御手段）
リレー制御手段ＣＡ１は、明るさ判別手段ＣＡ１Ａを有し、光センサ（明るさ判別信号出力手段）の出力する明るさ判別信号Ｖに基づいて、前記リレー６をオン、オフ制御して、ヒータｈへの通電を遮断する。実施例２のリレー制御手段ＣＡ１は、プリンタＵの周囲が暗いと判別された場合に、リレー６をオフにし、明るいと判別された場合に、リレー６をオンにする。
【００６１】
ＣＡ１Ａ：明るさ判別手段
明るさ判別手段ＣＡ１Ａは、プリンタＵの周囲が暗くなったことを判別するための暗さ判別用閾値ＶTLを記憶する暗さ判別用閾値記憶手段ＣＡ１Ａ１と、暗さ判別用閾値ＶTLよりも高い値であり且つプリンタＵの周囲が明るくなったことを判別するための明るさ判別用閾値ＶTHを記憶する明るさ判別用閾値記憶手段ＣＡ１Ａ２とを有する。そして、実施例２の明るさ判別手段ＣＡ１Ａは、前記暗さ判別用閾値ＶTL、明るさ判別用閾値ＶTH及び光センサＳＮ１の出力値Ｖ（明るさ判別信号）とに基づいて、プリンタＵの周囲が明るくなったか暗くなったかを判別する。
【００６２】
（実施例２のフローチャートの説明）
（リレーオン・オフ制御処理のフローチャートの説明）
図６は実施例２の画像形成装置のリレーオン・オフ制御処理のフローチャートである。
図６のフローチャートの各ＳＴ（ステップ）の処理は、前記通電遮断用コントローラＣＡのＲＯＭ等に記憶されたプログラムに従って行われる。また、この処理は画像形成装置Ｕの他の各種処理と並行してマルチタスクで実行される。
図６に示すフローチャートは画像形成装置Ｕの電源オンにより開始される。
【００６３】
図６のＳＴ１において、光センサＳＮ１の出力Ｖ（明るさ判別信号）が、明るさ判別用閾値ＶTH以上であるか否かを判別する。ノー（Ｎ）の場合はＳＴ１を繰り返し、イエス（Ｙ）の場合はＳＴ２に移る。
ＳＴ２において、リレー６をオンにし、ＳＴ３に移る。
ＳＴ３において、光センサＳＮ１の出力Ｖ（明るさ判別信号）が、暗さ判別用閾値ＶTL以下であるか否かを判別する。ノー（Ｎ）の場合はＳＴ３を繰り返し、イエス（Ｙ）の場合はＳＴ４に移る。
ＳＴ４において、リレー６をオフにし、ＳＴ１に戻る。
【００６４】
（実施例２の作用）
前記構成要件を備えた実施例２の画像形成装置Ｕでは、前記実施例１の電気回路（ハードウェア）により構成された通電遮断スイッチ制御手段に替えて、マイクロコンピュータにより実行されるプログラムモジュール（ソフトウェア）であるリレー制御手段（通電遮断スイッチ制御手段）ＣＡ１によりリレー６のオン、オフ制御を実行できる。したがって、実施例２の画像形成装置Ｕは、実施例１の画像形成装置Ｕと同様の作用効果を奏する。
【実施例３】
【００６５】
次に、本発明の実施例３を説明するが、この実施例３の説明において、前記実施例１、２の構成要素に対応する構成要素には同一の符号を付して、その詳細な説明を省略する。この実施例３は、下記の点で前記実施例１、２と相違しているが、他の点では前記実施例１、２と同様に構成されている。
【００６６】
図７は実施例２の図５に対応する実施例３の画像形成装置の制御回路及び機能の説明図（機能ブロック図）であり、図７Ａは全体説明図、図７Ｂはメインコントローラの機能の説明図、図７Ｃは通電遮断用コントローラの機能の説明図である。
図７Ａにおいて、実施例３の画像形成装置Ｕは、光センサＳＮ１に替えて、通電遮断用コントローラＣＡに、明るさ判別信号として現在時刻Ｔnowを出力する時計（明るさ判別信号出力手段）ＴＭを有している。
そして、実施例３の通電遮断用コントローラＣＡは、実施例２のリレー制御手段ＣＡ１に替えて、リレー制御手段ＣＡ１１を有する。
【００６７】
ＣＡ１１：リレー制御手段（通電遮断スイッチ制御手段）
リレー制御手段ＣＡ１１は、明るさ判別手段ＣＡ１Ｂを有し、時計ＴＭから出力された現在時刻Ｔnowに基づいて、前記リレー６をオン、オフ制御して、ヒータｈへの通電を遮断する。実施例３のリレー制御手段ＣＡ１１は、ユーザが居ない可能性が高いと判別（推定）され、プリンタＵの周囲が暗い可能性が高いと判別された場合に、リレー６をオフにし、ユーザが居る可能性が高いと判別（推定）され、プリンタＵの周囲が明るい可能性が高いと判別された場合に、リレー６をオンにする。
【００６８】
ＣＡ１Ｂ：明るさ判別手段
明るさ判別手段ＣＡ１Ｂは、プリンタＵの周囲が暗くなったことを判別（推定）するための暗さ推定時刻Ｔoffを記憶する暗さ推定時刻記憶手段ＣＡ１Ｂ１と、プリンタＵの周囲が明るくなったことを判別（推定）するための明るさ推定時刻Ｔonを記憶する明るさ推定時刻記憶手段ＣＡ１Ｂ２とを有する。そして、実施例３の明るさ判別手段ＣＡ１Ｂは、暗さ推定時刻Ｔoff、明るさ推定時刻Ｔon及び現在時刻Ｔnowに基づいて、プリンタＵの周囲が明るいか暗いかを判別（推定）する。
【００６９】
（実施例３のフローチャートの説明）
（リレーオン・オフ制御処理のフローチャートの説明）
図８は実施例３の画像形成装置のリレーオン・オフ制御処理のフローチャートである。
図８のフローチャートの各ＳＴ（ステップ）の処理は、前記通電遮断用コントローラＣＡのＲＯＭ等に記憶されたプログラムに従って行われる。また、この処理は画像形成装置Ｕの他の各種処理と並行してマルチタスクで実行される。
図８に示すフローチャートは画像形成装置Ｕの電源オンにより開始される。
【００７０】
図８のＳＴ１１において、現在時刻Ｔnowが明るさ推定時刻Ｔon以降であるか否かを判別する。イエス（Ｙ）の場合はＳＴ１２に移り、ノー（Ｎ）の場合はＳＴ１５に移る。
ＳＴ１２において、現在時刻Ｔnowが暗さ推定時刻Ｔoff以前であるか否かを判別する。イエス（Ｙ）の場合はＳＴ１３に移り、ノー（Ｎ）の場合はＳＴ１５に移る。
ＳＴ１３において、リレー６をオンにする。そして、ＳＴ１４に移る。
【００７１】
ＳＴ１４において、現在時刻Ｔnowが暗さ推定時刻Ｔoff以降になったか否かを判別する。ノー（Ｎ）の場合はＳＴ１４を繰り返し、イエス（Ｙ）の場合はＳＴ１５に移る。
ＳＴ１５において、リレー６をオフにする。そして、ＳＴ１６に移る。
ＳＴ１６において、現在時刻Ｔnowが明るさ推定時刻Ｔon以降になったか否かを判別する。ノー（Ｎ）の場合はＳＴ１６を繰り返し、イエス（Ｙ）の場合はＳＴ１３に戻る。
【００７２】
（実施例３の作用）
前記構成要件を備えた実施例３の画像形成装置Ｕでは、外部の光ではなく、時刻に基づいて周囲の明るさを判別し、ユーザの不在を推定して、リレー６のオン、オフ制御を行っている。したがって、実施例３の画像形成装置Ｕでは、会社の就業時間等に応じて、リレー６をオン、オフすることができ、季節や天気により左右される外光の影響を受けにくくすることができる。その他、実施例１，２と同様の作用効果を奏する。
【実施例４】
【００７３】
次に、本発明の実施例４を説明するが、この実施例４の説明において、前記実施例１〜３の構成要素に対応する構成要素には同一の符号を付して、その詳細な説明を省略する。この実施例４は、下記の点で前記実施例１〜３と相違しているが、他の点では前記実施例１〜３と同様に構成されている。
【００７４】
図９は実施例２の図５に対応する実施例４の画像形成装置の制御回路及び機能の説明図（機能ブロック図）であり、図９Ａは全体説明図、図９Ｂはメインコントローラの機能の説明図、図９Ｃは通電遮断用コントローラの機能の説明図である。
図９において、実施例４の画像形成装置Ｕは、明るさ判別信号出力手段として、ＳＮ１及び時計ＴＭを両方を有する。
そして、実施例４の通電遮断用コントローラＣＡは、実施例２のリレー制御手段ＣＡ１に替えて、リレー制御手段ＣＡ２１を有する。
【００７５】
ＣＡ２１：リレー制御手段（通電遮断スイッチ制御手段）
リレー制御手段ＣＡ２１は、明るさ判別手段ＣＡ１Ｃを有し、光センサＳＮ１からの出力信号Ｖと、時計ＴＭから出力された現在時刻Ｔnowとに基づいて、前記リレー６をオン、オフ制御して、ヒータｈへの通電を遮断する。実施例４のリレー制御手段ＣＡ２１は、光センサＳＮ１からの出力信号Ｖに基づいて、プリンタＵの外部が暗くなり、ユーザが居ない可能性が高いことが判別された場合に、リレー６をオフにする。一方、実施例４のリレー制御手段ＣＡ２１は、現在時刻Ｔnowに基づいて、ユーザがいる可能性が高いと判別（推定）され、プリンタＵの周囲が明るい可能性が高いと判別された場合に、リレー６をオンにする。
【００７６】
ＣＡ１Ｃ：明るさ判別手段
明るさ判別手段ＣＡ１Ｃは、前記暗さ判別用閾値ＶTLを記憶する前記暗さ判別用閾値記憶手段ＣＡ１Ａ１と、前記暗さ推定時刻Ｔoffを記憶する暗さ推定時刻記憶手段ＣＡ１Ｂ１と、前記明るさ推定時刻Ｔonを記憶する明るさ推定時刻記憶手段ＣＡ１Ｂ２とを有する。そして、実施例４の明るさ判別手段ＣＡ１Ｃは、光センサＳＮ１からの出力信号Ｖ、暗さ判別用閾値ＶTL、暗さ推定時刻Ｔoff、明るさ推定時刻Ｔon及び現在時刻Ｔnowに基づいて、プリンタＵの周囲が明るくなったか暗くなったかを判別（推定）する。
【００７７】
（実施例４のフローチャートの説明）
（リレーオン・オフ制御処理のフローチャートの説明）
図１０は実施例４の画像形成装置のリレーオン・オフ制御処理のフローチャートである。
図１０のフローチャートの各ＳＴ（ステップ）の処理は、前記通電遮断用コントローラＣＡのＲＯＭ等に記憶されたプログラムに従って行われる。また、この処理は画像形成装置Ｕの他の各種処理と並行してマルチタスクで実行される。
図１０に示すフローチャートは画像形成装置Ｕの電源オンにより開始される。
【００７８】
図１０のＳＴ２１において、光センサＳＮ１の出力Ｖ（明るさ判別信号）が、暗さ判別用閾値ＶTL以下であるか否かを判別する。ノー（Ｎ）の場合はＳＴ２２に移り、イエス（Ｙ）の場合はＳＴ２６に移る。
ＳＴ２２において、現在時刻Ｔnowが明るさ推定時刻Ｔon以降であるか否かを判別する。イエス（Ｙ）の場合はＳＴ２３に移り、ノー（Ｎ）の場合はＳＴ２６に移る。
ＳＴ２３において、現在時刻Ｔnowが暗さ推定時刻Ｔoff以前であるか否かを判別する。イエス（Ｙ）の場合はＳＴ２４に移り、ノー（Ｎ）の場合はＳＴ２６に移る。
ＳＴ２４において、リレー６をオンにする。そして、ＳＴ２５に移る。
【００７９】
ＳＴ２５において、光センサＳＮ１の出力Ｖ（明るさ判別信号）が、暗さ判別用閾値ＶTL以下であるか否かを判別する。ノー（Ｎ）の場合はＳＴ２５を繰り返し、イエス（Ｙ）の場合はＳＴ２６に移る。
ＳＴ２６において、リレー６をオフにする。そして、ＳＴ２７に移る。
ＳＴ２７において、現在時刻Ｔnowが明るさ推定時刻Ｔon以降になったか否かを判別する。ノー（Ｎ）の場合はＳＴ２７を繰り返し、イエス（Ｙ）の場合はＳＴ２４に戻る。
【００８０】
（実施例４の作用）
前記構成要件を備えた実施例４の画像形成装置Ｕでは、外部の明るさに基づいてリレーをオフし、時刻に基づいてリレーをオンしている。したがって、残業等により、終業時間が不規則な場合に対応して、外部の明るさ（照明等）に応じてリレー６をオフにでき、始業時間（明るさ推定時刻Ｔon）に合わせてリレー６をオンにすることができる。その他、実施例４の画像形成装置Ｕは、前記実施例１〜３と同様の作用効果を奏する。
【実施例５】
【００８１】
次に、本発明の実施例５を説明するが、この実施例５の説明において、前記実施例４の構成要素に対応する構成要素には同一の符号を付して、その詳細な説明を省略する。この実施例５は、下記の点で前記実施例４と相違しているが、他の点では前記実施例４と同様に構成されている。
【００８２】
図１１は実施例４の図９に対応する実施例５の画像形成装置の制御回路及び機能の説明図（機能ブロック図）であり、図１１Ａは全体説明図、図１１Ｂはメインコントローラの機能の説明図、図１１Ｃは通電遮断用コントローラの機能の説明図である。
図１１において、実施例５の通電遮断用コントローラＣＡは、実施例４のリレー制御手段ＣＡ２１に替えて、リレー制御手段ＣＡ３１を有する。
【００８３】
ＣＡ３１：リレー制御手段（通電遮断スイッチ制御手段）
リレー制御手段ＣＡ３１は、明るさ判別手段ＣＡ１Ｄを有し、光センサＳＮ１からの出力信号Ｖと、時計ＴＭから出力された現在時刻Ｔnowとに基づいて、前記リレー６をオン、オフ制御して、ヒータｈへの通電を遮断する。実施例５のリレー制御手段ＣＡ３１は、光センサＳＮ１からの出力信号Ｖに基づいて、プリンタＵの外部が明るくなり、ユーザが居る可能性が高いことが判別された場合に、リレー６をオンにする。一方、実施例５のリレー制御手段ＣＡ３１は、現在時刻Ｔnowに基づいて、ユーザが居ない可能性が高いと判別（推定）され、プリンタＵの周囲が暗くなっている可能性が高いと判別された場合に、リレー６をオフにする。
【００８４】
ＣＡ１Ｄ：明るさ判別手段
明るさ判別手段ＣＡ１Ｄは、前記明るさ判別用閾値ＶTHを記憶する前記明るさ判別用閾値記憶手段ＣＡ１Ａ２と、前記暗さ推定時刻Ｔoffを記憶する暗さ推定時刻記憶手段ＣＡ１Ｂ１と、前記明るさ推定時刻Ｔonを記憶する明るさ推定時刻記憶手段ＣＡ１Ｂ２とを有する。そして、実施例５の明るさ判別手段ＣＡ１Ｄは、光センサＳＮ１からの出力信号Ｖ、明るさ判別用閾値ＶTH、暗さ推定時刻Ｔoff、明るさ推定時刻Ｔon及び現在時刻Ｔnowに基づいて、プリンタＵの周囲が明るくなったか暗くなったかを判別（推定）する。
【００８５】
（実施例５のフローチャートの説明）
（リレーオン・オフ制御処理のフローチャートの説明）
図１２は実施例５の画像形成装置のリレーオン・オフ制御処理のフローチャートである。
図１２のフローチャートの各ＳＴ（ステップ）の処理は、前記通電遮断用コントローラＣＡのＲＯＭ等に記憶されたプログラムに従って行われる。また、この処理は画像形成装置Ｕの他の各種処理と並行してマルチタスクで実行される。
図１２に示すフローチャートは画像形成装置Ｕの電源オンにより開始される。
【００８６】
図１２のＳＴ３１において、現在時刻Ｔnowが明るさ推定時刻Ｔon以降であるか否かを判別する。イエス（Ｙ）の場合はＳＴ３２に移り、ノー（Ｎ）の場合はＳＴ３６に移る。
ＳＴ３２において、現在時刻Ｔnowが暗さ推定時刻Ｔoff以前であるか否かを判別する。イエス（Ｙ）の場合はＳＴ３３に移り、ノー（Ｎ）の場合はＳＴ３６に移る。
ＳＴ３３において、光センサＳＮ１の出力Ｖ（明るさ判別信号）が、明るさ判別用閾値ＶTH以上であるか否かを判別する。イエス（Ｙ）の場合はＳＴ３４に移り、ノー（Ｎ）の場合はＳＴ３６に移る。
ＳＴ３４において、リレー６をオンにする。そして、ＳＴ３５に移る。
【００８７】
ＳＴ３５において、現在時刻Ｔnowが暗さ推定時刻Ｔoff以降になったか否かを判別する。ノー（Ｎ）の場合はＳＴ３５を繰り返し、イエス（Ｙ）の場合はＳＴ３６に移る。
ＳＴ３６において、リレー６をオフにする。そして、ＳＴ３７に移る。
ＳＴ３７において、光センサＳＮ１の出力Ｖ（明るさ判別信号）が、明るさ判別用閾値ＶTH以上であるか否かを判別する。ノー（Ｎ）の場合はＳＴ３７を繰り返し、イエス（Ｙ）の場合はＳＴ３４に戻る。
【００８８】
（実施例５の作用）
前記構成要件を備えた実施例５の画像形成装置Ｕでは、外部の明るさに基づいて、リレーをオンし、時刻に基づいてリレーをオフしている。したがって、始業時間が不規則で、就業時間が決まっている場合等にも対応することができる。
【産業上の利用可能性】
【００８９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）本発明は、プリンタに限定されず、複写機、ＦＡＸ、複合機等の画像形成装置に適用可能である。
【００９０】
（Ｈ02）前記実施例２〜５において、暗さ判別用閾値ＶTL、明るさ判別用閾値ＶTH、暗さ推定時刻Ｔoff及び明るさ推定時刻Ｔonは所定の値に設定されていたが、ユーザインタフェースＵＩやホストコンピュータＨＣからのユーザの入力に応じて変更できるように構成することも可能である。
（Ｈ03）前記実施例において、通電遮断スイッチとしてノーマルオフのリレーを例示したが、これに限定されず、従来公知のスイッチング素子（ソリッドステートリレーやトライアック等）を使用可能である。ただし、トライアックを使用した場合は、落雷等により高電圧が印加されるとヒータｈに通電する可能性があるので、オフ時に回路を物理的に遮断するリレーを使用することが望ましい。
【００９１】
（Ｈ04）前記実施例において、通電遮断用コントローラＣＡはメインコントローラＣから独立して作動可能に構成することが望ましいが、メインコントローラＣに通電遮断用コントローラＣＡの機能を組み込むことも可能である。
（Ｈ05）前記実施例において、光センサとしてフォトトランジスタを使用したが、これに限定されず、外部の明るさを検出可能な公知の種々のセンサ（受光素子）を使用可能である。
（Ｈ06）前記実施例において、暗さ判別用閾値ＶTLと明るさ判別用閾値ＶTHとを使用したが、これに限定されず、１つの閾値に基づいて明るさを判別することも可能である。
（Ｈ07）前記実施例において、リレー駆動用のＦＥＴ１２に替えてトランジスタを使用することも可能である。
【図面の簡単な説明】
【００９２】
【図１】図１は実施例１の画像形成装置の縦断面図である。
【図２】図２は実施例１の画像形成装置の制御回路及び機能の説明図（機能ブロック図）であり、図２Ａは全体説明図、図２Ｂはメインコントローラの機能の説明図である。
【図３】図３は、実施例１の通電遮断スイッチ制御手段の要部拡大説明図である。
【図４】図４は、画像形成装置Ｕの外部の明るさと、点Ａでの電圧の履歴と、点Ｂでの電圧の履歴と、を示すタイムチャートである。
【図５】図５は実施例１の図２に対応する実施例２の画像形成装置の制御回路及び機能の説明図（機能ブロック図）であり、図５Ａは全体説明図、図５Ｂはメインコントローラの機能の説明図、図５Ｃは通電遮断用コントローラの機能の説明図である。
【図６】図６は実施例２の画像形成装置のリレーオン・オフ制御処理のフローチャートである。
【図７】図７は実施例２の図５に対応する実施例３の画像形成装置の制御回路及び機能の説明図（機能ブロック図）であり、図７Ａは全体説明図、図７Ｂはメインコントローラの機能の説明図、図７Ｃは通電遮断用コントローラの機能の説明図である。
【図８】図８は実施例３の画像形成装置のリレーオン・オフ制御処理のフローチャートである。
【図９】図９は実施例２の図５に対応する実施例４の画像形成装置の制御回路及び機能の説明図（機能ブロック図）であり、図９Ａは全体説明図、図９Ｂはメインコントローラの機能の説明図、図９Ｃは通電遮断用コントローラの機能の説明図である。
【図１０】図１０は実施例４の画像形成装置のリレーオン・オフ制御処理のフローチャートである。
【図１１】図１１は実施例４の図９に対応する実施例５の画像形成装置の制御回路及び機能の説明図（機能ブロック図）であり、図１１Ａは全体説明図、図１１Ｂはメインコントローラの機能の説明図、図１１Ｃは通電遮断用コントローラの機能の説明図である。
【図１２】図１２は実施例５の画像形成装置のリレーオン・オフ制御処理のフローチャートである。
【符号の説明】
【００９３】
４…ヒータ加熱回路、
６…通電遮断スイッチ、
７…ヒータオンオフ制御スイッチ、
１６，ＣＡ１，ＣＡ１１，ＣＡ２１，ＣＡ３１…通電遮断スイッチ制御手段、
Ｃ…メインコントローラ、
Ｃ４…ヒータオンオフ制御スイッチ制御手段、
ＣＡ…通電遮断用コントローラ、
Ｆ…定着装置、
ｈ…ヒータ、
Ｓ…記録用紙、
ＳＮ１…光センサ、
ＳＮ１，ＴＭ…明るさ判別信号出力手段、
ＴＭ…時計、
Ｔnow…現在時刻、
Ｔoff…暗さ推定時刻、
Ｔon…明るさ推定時刻、
Ｕ…画像形成装置、
ＶA，Ｖ，Ｔnow…明るさ判別信号、
ＶTH…明るさ判別用閾値、
ＶTL…暗さ判別用閾値。
【図１】
2006084833.tif 000003
【図２】
2006084833.tif 000004
【図３】
2006084833.tif 000005
【図４】
2006084833.tif 000006
【図５】
2006084833.tif 000007
【図６】
2006084833.tif 000008
【図７】
2006084833.tif 000009
【図８】
2006084833.tif 000010
【図９】
2006084833.tif 000011
【図１０】
2006084833.tif 000012
【図１１】
2006084833.tif 000013
【図１２】
2006084833.tif 000014